(57)【要約】【課題】紙等の切断に用いる従来の手持ち式カッターナイフは、不安定で危険性が高い。切断物を押さえている手を切ってしまった。刃が折れて突き刺さった。手が疲れる。厚みのある切断物は切断面が斜めに切れてしまう。横方向に切ると、続けて縦方向に切れない。曲線を切りづらい。布を切れない。【解決手段】本体を箱状にして内部に刃を設ける。箱内部にある刃が底面の穴から突出する一体構造とし、底面を切断物に密着し、そのまま滑らせて箱内部でカットすることにより安全に安定してカットできる。【選択図】    図１
2004202162.tif 000002
【特許請求の範囲】
【請求項１】
本体を箱状にして内部に刃を設ける。箱内部にある刃が底面の穴から突出する一体構造とし、底面を切断物に密着し、そのまま滑らせて箱内部でカットすることにより安全に安定してカットできることを特徴とする手持ち式カッターナイフ。
【請求項２】
本体を箱状にして内部に刃を設ける。箱内部にある刃が底面の穴から突出する一体構造とする。
Ａ  その形状として刃を固定するためビスを設ける。
Ｂ  その形状として刃を制御するためバネを設ける。
Ｃ  その形状として刃を押し下げるスライダーを設ける。
以上の形状を一体構造にすることにより、底面を切断物に密着し、そのまま滑らせて箱内部でカットすることにより安全に安定してカットできることを特徴とする請求項１記載の手持ち式カッターナイフ。
【発明の詳細な説明】
【０００１】
【発明の属する技術分野】
この発明は、紙、布等の切断に用いる手持ち式カッターナイフに関するものである。従来のカッターナイフよりも安全性、利用性、携帯性を高めたものである。
【０００２】
【従来の技術】
従来の紙等の切断に用いる手持ち式カッターナイフの構造及び形状は、図７に示すように、カッターナイフの本体１の内部から刃２が平行スライドし、切断物に刃の部分だけを当てて使用するように設けられたものである。
【０００３】
【発明が解決しようとする課題】
しかしながら、以上の従来技術によれば、手の位置が空中にあり、刃の角度が変わり不安定であり、正確でない。手が疲れる。切断物をもう一方の手で押さえなければならない。刃がむきだしの状態なので誤って、手を切ってしまうことがある。一度横方向に細かくカットすると、カットされた部分が宙に浮いてしまい、縦方向にカットすることができない。布等柔らかい物をカットすることが困難である。
そこで、この発明は、これらの要因を排除するため、手持ち式カッターナイフを根本から考え直すことにより、その構造、形状、使用方法を変え、ワンタッチで手軽に、安全に、正確に、切りたい方向に紙、布等をカットすることを提供することを課題とする。
【０００４】
【課題を解決するための手段】
以上の課題を解決するために、請求項１の発明は、本体を箱状にして内部に刃を設ける。箱内部にある刃が底面の穴から突出する一体構造とし、底面を切断物に密着し、そのまま滑らせて箱内部でカットすることにより安全に安定してカットできることを特徴とする手持ち式カッターナイフである。
また、請求項２の発明は、本体を箱状にして内部に刃を設ける。箱内部にある刃が底面の穴から突出する一体構造とする。
Ａ  その形状として刃を固定するためビスを設ける。
Ｂ  その形状として刃を制御するためバネを設ける。
Ｃ  その形状として刃を押し下げるスライダーを設ける。
以上の形状を一体構造にすることにより、底面を切断物に密着し、そのまま滑らせて箱内部でカットすることにより安全に安定してカットできることを特徴とする手持ち式カッターナイフである。
【０００５】
【発明の実施の形態】
この発明の一実施形態を、図１、図２、図３、図４、図５に示す。
カッターナイフの本体１は箱になる部分１イとそのふたの部分１ロにより構成されている。１イは箱型の透明なプラスチック製であり切断物に対して、均等に圧力がかかるよう、接点である底面は滑らか且つ水平な平面であり、スライドする方向前後両端及び外周角は丸く削ってある。そして左右中央部分には、刃２が通る縦長の穴が設けられている。そしてこの穴は底面に厚みを持たせることにより安定して刃２を送り出すガイドとなる。また、側面にはビス３イ、３ロが通るよう、左右対称に二つの穴が設けられている。そしてこの穴は、側面に厚みを持たせることにより、ビス３イ、３ロに力がかかったとき、安定して支持する連結部分になる。１ロは本体のふたになる部分であり、透明なプラスチック製であり、１イにはめ込み、また前上部にはスライダー５が通る穴が設けられている。そしてこの穴は周辺部分に厚みを持たせることにより安定してスライダー５をスライドさせるガイドとなる。この本体１イの内部にはビス止めによって刃２が取り付けられている。
この刃２は台形をしておりその長い方の底辺が刃になっている。左右対称に作られていることにより、付け替えて使うことができる。この刃２には穴が二つ空いており、その一つが支点となりビス３イを通しビス３ロと挟まれ垂直に本体１イと連結されている。もう一方の穴はバネ４を取り付けビス３イを通し本体１イと連結されている。
このビス３は二つの形状３イ及び３ロにより構成されており、ねじ込み式で刃２を間に挟み、また、片側にバネ４を通して連結されている。刃２がビス穴を中心に支点として回転し、もう一方の穴に取り付けられたバネ４によって回転を制御できる構造である。
そしてバネ４は、片側のうでの部分がフック形状になっており、刃２を通して固定し、外れないようになっている。
また、スライダー５は透明な本体ふた１ロの前上部に空いている穴に通し下端が刃２と接し、刃２を上下に動かす力点となる。
このことにより、普段スライダー５はバネ４によって上に押し上げられており、指で押し下げることによって刃２がビス３イ、３ロを支点として回転して下がり切断物と接し、切断する部分が作用点となる。又、スライダー５の可動範囲は、その上端はスライダー５にある爪がストッパーになり、それ以上とび出るのを防ぐ。そして下端は刃２の穴に通されたバネ４のフック部分が、本体１イの底に当たりそれ以上刃２がとび出すのを防ぎ、スライダー５も止まる。つまり、刃２の穴の位置を変えることにより、スライダー５の可動範囲及び、刃２の可動範囲を調整することができる。
次に構造体として力学的な見地から充分な強度が得られるかを検証する。
【０００６】
【物１】Ｍ    ＝  Ｆ  ×  ｌ      （力のモーメント）
この発明の実施構造検証のための物理学上の法則を図６に示す。
指で押さえスライダー５によって刃２が押し下げられる力点にかかる力をＦ１、刃２がビス３と連結し回転する穴の中心である支点にかかる力をＦ２、その間の距離をｌ１、刃２が切断物と接しカットする作用点にかかる力をＦ３、Ｆ１とＦ３の間の距離をｌ２とする。ここでは、ｌ１とｌ２だけの関係を知りたいため、図６に標記されているｌ３を使わずに説明する。
上記法則により力のモーメントは力の大きさとうでの長さをかけたものであり、刃２が切断物をとらえたとき、Ｆ１、Ｆ２、Ｆ３は、つり合っている状態にあるので、
Ｆ１×ｌ２＝Ｆ２（ｌ１＋ｌ２）
Ｆ１×ｌ１＝Ｆ３（ｌ１＋ｌ２）
よってＦ２にかかる力は
Ｆ１×ｌ２÷（ｌ１＋ｌ２）
Ｆ３にかかる力は
Ｆ１×ｌ１÷（ｌ１＋ｌ２）
となる。よってＦ１の力の大きさは、どちらも同じなので、ｌ１の距離を長くしｌ２の距離を短くすることによって本体と連結されている支点にかかる力Ｆ２を和らげ、切断物をカットする作用点にかかる力Ｆ３を強くすることができる。
以上のことによりスライダー５を、刃２のより作用点側近くに設置することにより切断しようとする力はほとんどが切断物に伝わり、刃２の本体との連結部分には少量の力しか加わらないようにすることができる。また、スライダー５、ビス３は厚みを持った金属製であり、本体１イ、１ロはプラスチックによる単純な箱型を成型することにより、充分な強度が得られることがわかる。
また、本体底面を滑らかにし、摩擦係数を低くすれば切断物を挟んで反対側にある下敷きの物質の摩擦係数の方が高い場合、どんなに加圧して滑らせても切断物はくっついてこない。
また刃を当てた場合、刃の当たる角度をなるべく小さくすると圧力は水平方向よりも鉛直方向に強く働き、滑りやすくなる。
また、この本体に横方向の力が加わった場合、刃の支持力が問題とされるが、本体１イの底面を厚くし、刃２の通る穴の隙間を狭くすることによって、刃２のガイドである底面の穴の側壁が刃２と接する面積が広くなり横方向に強靭な支持をあたえることができ、且つ刃２が傾くのを防ぐことができる。
【０００７】
「実施形態の効果」
この実施形態によれば、コンパクトに最小部品構成でこのカッターナイフを作り上げることができる。さらに箱型にして切断物にのせることによりその結果安定し、刃を固定することによりその結果正確にカットできる。底面から垂直に刃が立っている結果、常に垂直にカットでき、曲線も容易にカットできる。底面を平坦にし、切断物に密着するようにした結果、切断部周辺を押さえながらカットすることになり、布等、柔らかいものもカットでき、さらに横方向にカットした後でも続けて縦方向にカットでき、もう片方の手で押さえなくてもカットできる。バネを刃に取り付けた結果、手を離すと刃が本体内部に収納され、そのまま置いていても、持ち運んでも安全である。スライダーを上部に取り付けて刃と連動するようにした結果、ワンタッチでカットでき、刃の出し入れを調整するわずらわしさがない。本体を透明にして刃が見えるようにした結果、直接切断部分を見ながらカットできる。
以上のことにより、ワンタッチで手軽に安全に正確に安定して紙、布等の切断物をカットできる。したがって、切断物をカットしやすい。
【０００８】
「他の実施形態」
請求項１に書かれているように、この発明の基本構想は、箱もしくは四角い固体を斜めに刃がささるようくり抜き、刃を差し込み、刃の先端部分を出すことによって完成されるが、請求項２は、しかしながらどうすればより良い製品として、安全性、使用価値を高め、文化的生活に寄与することができるか研究を続けて導き出された結果による。
したがって、安全性、使用価値を考えた他の結果を下記に示す。
図１の実施形態では、本体１イ、は底面に設けられた穴以外は塞がれ密閉された形状であるが、底面及び刃２に影響を与えないのであれば、他の実施形態では開口部や穴があっても良い。また、図ではその視認性を重視するために、本体１イの底面の穴を前部箱外側まで延長して開け、直接刃を視認できるようにしているが、他の実施形態では、子供が使用することを考え、その安全性ゆえに本体１イの底面の穴を箱内部に閉塞し、それぞれ刃２、ビス３、バネ４、スライダー５を後方にセットバックすることにより、更に安全性を高めることもできる。また、透明なプラスチック製としているが、刃の視認性にさほど影響を与えないのであれば、他の実施形態では、材質を変えても良いし、デザイン性を重視するために半透明にしたり、色を付けたりすることもできる。また、実用性を高めるために目盛りを付けることも可能である。
また、子供が使用することを考え、その安全性ゆえに刃２が簡単に取り出せないようにするため、他の実施形態では、ビス３は刃２を挟んで本体に固定できればビスでなくても、例えばパイプや棒をかしめたものであっても良い。
バネ４はビス３を通して固定してあったが、他の実施形態では、ビス３を通さずに本体１に固定しても、また、バネ４をコイルスプリングではなく板バネを使用しても良い。
また、スライダー５は金属製としたが、その強度が保てるのであれば、他の実施形態では、材質を変えても良い。
【０００９】
【発明の効果】
以上説明したように、この発明によれば、ワンタッチで手軽に安全に正確に安定して紙、布等の切断物をカットできる。さらに、簡単に垂直にカットできる。簡単に曲線をカットできる。横方向にカットした後、そのまま縦方向にカットできる。もう片方の手で押さえなくてもカットできる。
【００１０】
また、本体の内側でカットしているため、切断中も刃が外部に出ない。刃が折れても飛ばない。コンパクト設計なので、ポケットに手軽に入る。手が空中に浮いていないので、長時間でも疲れない。定規を当てての直線のカットが楽に正確になる。カット後の切断物が、位置移動しない。刃の詰め替え、メンテナンスができる。製作コストが安い。デザイン性が高い。剛性が高い。
【図面の簡単な説明】
【図１】この発明の一実施形態を示す斜視図である。
【図２】この発明の一実施形態を示す平面図である。
【図３】この発明の一実施形態を示す側面からの断面図であるが、使用中の状態と使用後の状態を示した図である。
【図４】この発明の一実施形態を示す側面からの断面図であるが、使用中の状態と使用後の状態を示した図である。
【図５】この発明の一実施形態を示す部品図である。
【図６】この発明の実施構造検証のための物理学上の法則を示す図であるが、わかり易くするために、法則と説明文と数式を入れた図である。
【図７】従来技術を示す斜視図である。
【符号の説明】
１    本体
１イ  本体箱
１ロ  本体ふた
２    刃
３    ビス
３イ  ビスのうち、凸ねじ部分のあるもの
３ロ  ビスのうち、凹ねじ部分のあるもの
４    バネ
５    スライダー
Ｆ１  力点にかかる力
Ｆ２  支点にかかる力
Ｆ３  作用点にかかる力
１１  力点、支点間の距離
１２  力点、作用点間の距離
１３  支点、作用点間の距離
【図１】
2004202162.tif 000003
【図２】
2004202162.tif 000004
【図３】
2004202162.tif 000005
【図４】
2004202162.tif 000006
【図５】
2004202162.tif 000007
【図６】
2004202162.tif 000008
【図７】
2004202162.tif 000009